(57)【特許請求の範囲】
【請求項１】
予め準備された画面の表示を制御する装置を有するディスク再生装置であって、
前記ディスク再生装置は外部操作されるキー入力部をさらに有し、
前記画面表示制御装置は、
外部から与えられる指示情報に基づいて、画面表示モードおよび画面消去モードのいずれかを設定するモード設定手段と、
前記ディスクからオーディオ情報が再生される場合に、前記モード設定手段により前記画面表示モードが設定されるときは、前記画面に対する表示信号の出力を許可し、前記画面消去モードが設定されるときは、前記画面に対する表示信号の出力を禁止する制御手段と、
前記画面消去モードが設定されている場合に、前記キー入力部が外部操作されたとき、操作されたキーの種類を判定するキー判定手段と、
前記キー入力部が外部操作されたとき、設定されている前記画面消去モードを解除して、前記キー判定手段により判定されたキーの種類に従う情報を前記画面に表示するキー情報表示手段とをさらに備え、前記キー情報表示手段により前記情報の表示がされて一定時間経過後に、再度、前記画面消去モードが設定され、
判定された前記キー種類に基づいて前記オーディオ情報の再生を中断し、中断された前記オーディオ情報の再生を再開させて、
前記指示情報は前記キー入力部の所定キーが操作されることに応じて出力されるか、または前記ディスク再生装置は前記画面表示モードおよび前記画面消去モードのいずれかを指定するために操作される項目データを表示する手段をさらに有し、
前記ディスクには、再生される情報は前記オーディオ情報のみであるディスクおよび再生される情報は前記オーディオ情報と映像情報であるディスクが含まれることを特徴とする、画面表示制御装置を有するディスク再生装置。
【請求項２】
予め準備された画面の表示を制御する装置を有するディスク再生装置であって、
外部操作されるキー入力部をさらに有し、
前記画面表示制御装置は、
外部から与えられる指示情報に基づいて、画面表示モードおよび画面消去モードのいずれかを設定するモード設定手段と、
前記ディスクからオーディオ情報が再生される場合に、前記モード設定手段により前記画面表示モードが設定されるときは、前記画面に対する表示信号の出力を許可し、前記画面消去モードが設定されるときは、前記画面に対する表示信号の出力を禁止する制御手段と、
前記画面消去モードが設定されている場合に、前記キー入力部が外部操作されたとき、操作されたキーの種類を判定するキー判定手段と、
前記キー入力部が外部操作されたとき、設定されている前記画面消去モードを解除して、前記キー判定手段により判定されたキーの種類に従う情報を前記画面に表示するキー情報表示手段とを備え、
前記キー情報表示手段により前記情報の表示がされて一定時間経過後に、再度、前記画面消去モードが設定される、画面表示制御装置を有するディスク再生装置。
【請求項３】
判定された前記キー種類に基づいて前記オーディオ情報の再生を中断することを特徴とする、請求項２に記載の画面表示制御装置を有するディスク再生装置。
【請求項４】
中断された前記オーディオ情報の再生を再開させることを特徴とする、請求項３に記載の画面表示制御装置を有するディスク再生装置。
【請求項５】
前記指示情報は前記キー入力部の所定キーが操作されることに応じて出力されることを特徴とする、請求項２から４のいずれか１項に記載の画面表示制御装置を有するディスク再生装置。
【請求項６】
前記ディスク再生装置は前記画面表示モードおよび前記画面消去モードのいずれかを指定するために操作される項目データを表示する手段をさらに有する、請求項２から４のいずれか１項に記載の画面表示制御装置を有するディスク再生装置。
【請求項７】
前記ディスクには、再生される情報は前記オーディオ情報のみであるディスクおよび再生される情報は前記オーディオ情報と映像情報であるディスクが含まれることを特徴とする、請求項２から６のいずれか１項に記載の画面表示制御装置を有するディスク再生装置。
【発明の詳細な説明】
【０００１】
【発明の属する技術分野】
この発明は画面表示制御装置を有するディスク再生装置に関し、特にＤＶＤ（Digital Versatile Disc）などのディスクから情報を再生して画面に表示する装置においてオーディオ信号のみが記録されたディスクを再生している場合に表示画面を消去する画面表示制御装置を有するディスク再生装置に関する。
【０００２】
【従来の技術】
従来は、ＤＶＤプレイヤにおいてＣＤ（Compact Disc）に記録された音声情報、ＭＰ３（ＭＰＥＧ（Motion Picture Expert Group）-1 Audio Layer 3）、ＷＭＡ（Windows Media Audio）に従いＣＤに記録された音声情報を再生する場合に、何らかの画像、たとえばブルーバックの背景画像やオープニング画像などがモニタに定型的に表示されていたので、オーディオ信号のみが記録されたディスクの再生時にこのような無駄な画像の表示を省略することが望まれていた。
【０００３】
そこで、たとえば、オーディオ信号のみが記録されたディスクを再生するときにビデオ信号処理部への電力供給を停止するもの（たとえば、特許文献１参照）、ＴＶ（Television）モニタを接続するときはビデオ出力機能付ＤＶＤオーディオプレイヤとして機能しＴＶモニタを接続しないときはＤＶＤオーディオ単機能型プレイヤとして機能するもの（たとえば特許文献２参照）などが提案されていた。
【０００４】
【特許文献１】
特開２００２−２７１７１５公報の明細書と図面
【０００５】
【特許文献２】
特開２００１−２６６４８９号公報の明細書と図面
【０００６】
【発明が解決しようとする課題】
しかしながら、上述の従来技術のビデオ出力機能付ＤＶＤオーディオプレイヤとＤＶＤオーディオ単機能型プレイヤとの機能切換は、接続機器の状態または再生信号の種類に基づくものであるからユーザの意図を反映することができなかった。
【０００７】
それゆえにこの発明の目的は、所望に応じて表示画面を消去する画面表示制御装置を有するディスク再生装置を提供することである。
【０００８】
【課題を解決するための手段】
この発明のある局面に従う予め準備された画面の表示を制御する装置を有するディスク再生装置は、外部操作されるキー入力部をさらに有する。
【０００９】
そして画面表示制御装置は、外部から与えられる指示情報に基づいて、画面表示モードおよび画面消去モードのいずれかを設定するモード設定手段と、ディスクからオーディオ情報が再生される場合に、モード設定手段により画面表示モードが設定されるときは、画面に対する表示信号の出力を許可し、画面消去モードが設定されるときは、画面に対する表示信号の出力を禁止する制御手段と、画面消去モードが設定されている場合に、キー入力部が外部操作されたとき、操作されたキーの種類を判定するキー判定手段と、キー判定手段により判定されたキーの種類に従う情報を画面に表示するキー情報表示手段とをさらに備え、判定されたキー種類に基づいてオーディオ情報の再生を中断し、中断されたオーディオ情報の再生を再開させる。
【００１０】
上述の指示情報はキー入力部の所定キーが操作されることに応じて出力されるか、またはディスク再生装置は前記画面表示モードおよび前記画面消去モードのいずれかを指定するために操作される項目データを表示する手段をさらに有する。ディスクには、再生される情報はオーディオ情報のみであるディスクおよび再生される情報はオーディオ情報と映像情報であるディスクが含まれる。
【００１１】
この発明の他の局面に従う予め準備された画面の表示を制御する装置を有するディスク再生装置では、画面表示制御装置は、外部から与えられる指示情報に基づいて、画面表示モードおよび画面消去モードのいずれかを設定するモード設定手段と、ディスクからオーディオ情報が再生される場合に、モード設定手段により画面表示モードが設定されるときは、画面に対する表示信号の出力を許可し、画面消去モードが設定されるときは、画面に対する表示信号の出力を禁止する制御手段とを備える。
【００１２】
したがって、ディスクからオーディオ情報が再生される場合に、外部から与えられた指示情報に基づいて画面表示モードが設定されるときは画面が表示されて画面消去モードが設定されるときは画面が消去される。それゆえに、ディスクからオーディオ情報が再生される場合には外部からの指示情報に従う要求に応じて表示画面を消去することができる。
【００１３】
好ましくは、上述のディスク再生装置は外部操作されるキー入力部をさらに有し、画面表示制御装置は、画面消去モードが設定されている場合に、キー入力部が外部操作されたとき、操作されたキーの種類を判定するキー判定手段と、キー判定手段により判定されたキーの種類に従う情報を画面に表示するキー情報表示手段とをさらに備える。
【００１４】
したがって、画面消去モードにおいて表示画面が消去されている場合であっても、外部操作によりキー入力されると、このキーの種類に従う情報を画面に表示することができる。
【００１５】
好ましくは、判定されたキー種類に基づいてオーディオ情報の再生を中断する。したがって、外部操作された入力キーがオーディオ情報の再生中断を必要とするような種類のときは、オーディオ再生を中断することができる。
【００１６】
好ましくは、中断されたオーディオ情報の再生を再開させる。したがって、一旦、中断したオーディオ情報の再生をその後に再開させることができる。
【００１７】
好ましくは、指示情報はキー入力部の所定キーが操作されることに応じて出力される。したがって、キー入力部の所定キーを外部から操作することにより指示情報を与えることができる。
【００１８】
好ましくは、ディスク再生装置は画面表示モードおよび画面消去モードのいずれかを指定するために操作される項目データを表示する手段をさらに有する。したがって表示された項目データを操作して画面表示モードおよび画面消去モードのいずれかを指定することにより、指示情報を与えることができる。
【００１９】
好ましくはディスクには、再生される情報はオーディオ情報のみであるディスクおよび再生される情報はオーディオ情報と映像情報であるディスクが含まれる。したがって、オーディオ情報と映像情報であるディスクを再生可能なディスク再生装置において再生される情報はオーディオ情報のみであるディスクを再生するときは、所望に応じて表示画面を消去できるから、ディスクから再生される映像情報による画面を表示しない場合の画面の焼き付け、まぶしさを解消できる。
【００２０】
【発明の実施の形態】
以下、この発明の実施の形態について図面を参照して詳細に説明する。
【００２１】
図１には、この発明の実施の形態に係るＤＶＤ再生装置のブロック構成が示される。図１を参照して、ＤＶＤ再生装置１は、ディスク２から情報を再生するためにディスク２を駆動するための各種のモータ３〜５、これらモータを制御するモータドライバ６、ディスク２を走査して情報（オーディオ情報または映像情報）を読取り信号出力する再生ヘッドなどを含む光学ユニット７、光学ユニット７から読出された信号を増幅するヘッドアンプ８、モータドライバ６を制御するとともにヘッドアンプ８から出力された信号についてデジタル信号処理するフロントエンド９、フロントエンド９から出力された信号についてデコード処理するバックエンド１０、バックエンド１０にてデコード処理されて出力された音声信号を入力してスピーカなどの音声出力系を駆動するためのアナログ信号に変換して出力する音声コンバータ１１、バックエンド１０にてデコード処理されて出力された映像情報によるビデオ信号を入力して、ＣＲＴ（Cathode Ray Tube）ディスプレイやＬＣＤ（Liquid Crystal Display）などのモニタの画像出力系に画面表示するための信号に変換して出力するビデオドライバ１２、ＤＶＤ再生装置１に対して外部から情報を与えるために操作されるフロントパネルキー２１、レシーバ２２およびリモコン２３を備える。
【００２２】
ディスク２の種類としては、再生（記録）される情報がオーディオ情報のみであるディスク例えばＣＤおよび再生（記録）される情報がオーディオ情報と映像情報であるディスク例えばＤＶＤなどが含まれる。
【００２３】
リモコン２３はユーザにより操作されると操作の指示信号を赤外線信号にて転送するので、レシーバ２２はこれを受信する。レシーバ２２はバックエンド１０にて処理可能な信号フォーマットに変換して出力する。
【００２４】
フロントエンド９はヘッドアンプ８から出力された信号を増幅して出力するアンプ１３、アンプ１３により出力された信号を入力して、所定のデジタル信号処理およびエラー訂正処理を施す信号処理部１４および信号処理部１４を制御するＭＰＵ（Micro Processing Unit）１５を有する。
【００２５】
バックエンド１０は、信号処理部１４により処理された信号を入力してデコード処理して出力するＡＶ（Audio Visual）デコーダ１６、ＭＰＵ１７、ＭＰＵ１７に関する処理のためのデータなどを記録するためのＲＡＭ（Random Access Memory）１９、ビデオドライバ１２に対する信号の出力を制御する制御部２０を有する。制御部２０には、図示されないが、画面にデジタル情報を出力するためのＯＳＤ（On Screen Display）を有する。
【００２６】
動作において、ディスク２がＤＶＤであるときは、ＤＶＤから光学ユニット７から読出された信号がヘッドアンプ８を介してフロントエンド９でデジタル信号処理されて、バックエンド１０に出力されて、バックエンド１０は与えられるデジタル信号中の音声信号および映像信号をＡＶデコーダ１６により所定手順でデコード処理する。デコードされた音声信号は音声コンバータ１１を介して変換されて図示されないスピーカなどの音声出力系を介して出力されて、またデコードされた映像信号は制御部２０を通過してビデオドライバ１２により図示されないモニタに画像として画面出力される。
【００２７】
一方、ディスク２がＣＤであるときは、光学ユニット７により読み出されて、ヘッドアンプ８により増幅された音声信号は、フロントエンド９にてデジタル信号処理されて、バックエンド１０にてデコード処理されて、音声コンバータ１１を介してスピーカなどから出力される。
【００２８】
このとき、ＣＤからの読出信号には映像のための信号は含まれていないからバックエンド１０のＭＰＵ１７は外部からの入力指示に基づき表示画面を消去すると判断したときは、ミュート信号ＭＴを出力するように制御部２０に対して指示する。制御部２０から出力されたミュート信号ＭＴはビデオドライバ１２に与えられて、ビデオドライバ１２に対してモニタ（ＣＲＴやＬＣＤなど）への画面表示のための信号出力を禁止するように作用する。ビデオドライバ１２はミュート信号ＭＴが与えられている期間はモニタに対して画面表示のための信号を出力しないから、その期間はモニタにおいては表示画面は消去される。一方、ミュート信号ＭＴが与えられない期間はモニタに対して画面表示のための信号が出力されるから（信号出力が許可されるから）、モニタに画面が表示される。
【００２９】
図２にはリモコン２３のキー配置例が示される。リモコン２３には図２に示すようにユーザが操作可能なようにキーＫ１〜Ｋ１６が設けられる。キーＫ１はディスプレイキーでありモニタに画面を表示するための画面表示モードと、モニタにおける表示画面を消去するための画面消去モードとを切換えるために操作される。キーＫ２はＤＶＤ再生装置１の電源のＯＮ／ＯＦＦを切換えるために操作される。キーＫ３は出力音声の言語を選択したりサウンドのモード（映画モード、ニュースモードなど）を切換えたり、音声のボリューム調整のために操作される。キーＫ４はサーチモード（ディスク２上の所定ポイントをサーチするためのモード）を選択するために操作される。キーＫ５はヘッドをディスク２の所望ポイントに位置付けるために操作される。キーＫ６はチャプター、トラック、タイトルなどを繰返し再生するために操作される。キーＫ７はリモコン２３がＴＶ（Television）受信機用に兼用されている場合などに受信チャンネルを指定するためのテンキーである。キーＫ８はチャプター／トラックをスキップするために操作される。キーＫ９は再生動作を一時停止（ポーズ）するために操作される。キーＫ１０は高速リバースを指示するために操作される。キーＫ１１はディスク２について再生開始を指示するために操作される。キーＫ１２はセットアップメニューを表示するために操作される。キーＫ１３はフォワード方向への高速送りのために操作される。キーＫ１４は再生を停止するために操作される。キーＫ１５はモニタ画面上で図示されないカーソルを移動させるために操作される矢印のキーである。キーＫ１６は、キーＫ１５の操作により移動されてカーソルにより指示されているデータ項目を装置に対して入力するために操作されるエンターキーである。
【００３０】
図３を参照して、ＤＶＤ再生装置１のフロントパネルには、ＤＶＤ再生装置１自体の電源をＯＮ／ＯＦＦするために操作されるスイッチＦ１、ディスクトレイＦ２、ディスクトレイＦ２のオープン／クローズのために操作されるスイッチＦ３、ディスク２の再生の開始または再開を指示するために操作されるスイッチＦ４、再生を停止させるために操作されるスイッチＦ５、スキップとサーチのために操作されるスイッチＦ６およびＦ７、動作の一時停止のために操作されるスイッチＦ８および操作内容などを表示するためのディスプレイ部分Ｆ９を備える。
【００３１】
次に、図４のフローチャートに従いリモコン２３のユーザのキー操作に応じて画面表示モードと画面消去モードとを切換える手順について説明する。
【００３２】
まず、ＭＰＵ１７の内部メモリ（図示せず）にはモード切換制御のためのフラグがストアされており、該フラグに予め“１”が設定されていると想定する（ステップＳ（以下、単にＳと略す）１）。
【００３３】
次に、ディスク２の情報の読出しが開始されてＡＶデコーダ１０にオーディオ信号が入力されてオーディオ信号の再生が開始されると（Ｓ２）、ＭＰＵ１７はフラグに従い画面表示モードおよび画面消去モードのいずれか一方を設定する（Ｓ３）。今は、フラグが“１”なので画面消去モードが設定される。
【００３４】
したがって、ＭＰＵ１７は制御部２０に対してミュート信号ＭＴを出力するように制御するのでビデオドライバ１２から画像出力系への信号出力は停止する。
【００３５】
その後、ＭＰＵ１７はレシーバ２２を介してリモコン２３のキーにより入力操作信号が与えられて、該入力操作信号がキーＫ１の押下信号か否か判定する（Ｓ４）。キーＫ１の押下でなければ後述のＳ７の処理に移行する。
【００３６】
キーＫ１の押下、すなわち画面表示モードと画面消去モードとのモード切換であると判定すると、フラグの値を反転、すなわち“１”ならば“０”に反転させ、“０”ならば“１”へと反転させる（Ｓ５）。
【００３７】
次にＭＰＵ１７はフラグの値に従い画面表示モードおよび画面消去モードのいずれかを設定する（Ｓ６）。
【００３８】
つまり、フラグが“１”ならばミュート信号ＭＴを出力して画面消去モードを、フラグが“０”ならば画面表示モードをそれぞれ設定する。画面表示モードと設定された場合には、ＭＰＵ１７は制御部２０を介してビデオドライバ１２により画面を表示する。ディスク２がＤＶＤであるときはＤＶＤから読出された映像信号に従う画面が表示されるが、ディスク２がＣＤなどの映像信号を読出すことのできない媒体であるときは定型の画面、たとえばオープニング画面（ＤＶＤ再生装置１の製品名または製造会社の名称をピーアールするための画面など）や所定の背景用画面を表示する。
【００３９】
その後、ＭＰＵ１７は再生が終了したか否か判定し、再生終了したと判定すると一連の処理を終了し、そうでなければＳ４に戻り以降の処理を同様に繰返す。
【００４０】
したがって、ユーザはリモコン２３のキーＫ１を所望に応じてＯＮ／ＯＦＦ操作することにより画面表示モードおよび画面消去モードのいずれにも切換設定することができる。
【００４１】
なお、ここではフラグの値を“１”にして再生が開始されるとしているが、フラグの値を“０”にして再生が開始されるとしてもよい。またキーＫ１による設定モードはＤＶＤ装置１の電源がＯＦＦされると解除される。
【００４２】
また、図５の手順に従えば画面表示モードと画面消去モードの切換をセットアップメニューの画面から行なうこともできる。たとえば、ディスク２の再生に先立って、ユーザがリモコン２３のキーＫ１２をＯＮすると、そのキー入力信号はレシーバ２２を介してＭＰＵ１７に与えられる。ＭＰＵ１７はこのキー入力信号に基づいて制御部２０を介して図示されないＯＳＤの機能によりモニタ画面にセットアップメニューを表示する。セットアップメニューの表示例が図６に示される。
【００４３】
図６の画面において、カーソル（図示せず）をキーＫ１５の操作により矢印で示されるメニューの項目データ“ＳＣＲＥＥＮ”にまで移動させて、キーＫ１６を押下する毎に“ＳＣＲＥＥＮ”の“ＯＮ”および“ＯＦＦ”のいずれかを設定できる。“ＯＮ”と設定されると画面表示モードを設定でき、“ＯＦＦ”と設定すると画面消去モードを設定できる。このように、セットアップメニューの画面から設定された画面表示モードまたは画面消去モードの別は、ＤＶＤ再生装置１の電源がオフされても内容が消去されない内部のＲＡＭ１９などに格納される。
【００４４】
その後、ＭＰＵ１７はＡＶデコーダ１６によりオーディオ再生がスタートしたことを判定する（Ｓ１０）。ＲＡＭ１９に格納された内容に基づいて、セットアップメニューにより予め画面消去モードが設定されているか否か判定する（Ｓ１１）。画面消去モードが設定されていると判定すると（Ｓ１１でＹＥＳ）、ビデオドライバ１２にミュート信号ＭＴを出力するように制御部２０に対して指示して、モニタの表示画面を消去させる（Ｓ１２）。その後、再生が終了したか否か判定し（Ｓ１３）、再生終了と判定すれば一連の処理を終了する。
【００４５】
一方、セットアップメニューにより予め画面表示モードが設定されていたと判定されれば（Ｓ１１でＮＯ）、画面表示モードへと移行して画面が表示される（Ｓ１４）。その後、Ｓ１３の処理に移行する。
【００４６】
上述のようにして画面消去モードが設定された状況でオーディオ再生が行なわれているときに、フロントパネルキー２１やリモコン２３のキーを操作すると操作内容に応じた画面表示をすることができる。これを図７のフローチャートに従い説明する。
【００４７】
まず、ディスク２からの情報が読出されてオーディオ再生がされており画面消去モードにあるとき（Ｓ２０）、ＭＰＵ１７はフロントパネルキー２１またはリモコン２３のキー操作がなされるか否か判定する（Ｓ２１）。キー操作がなされなければＳ２０の処理が繰返されるが、キー操作がなされたと判定されれば（Ｓ２１でＹＥＳ）、操作キーの種類が判定される（Ｓ２２）。
【００４８】
オーディオ再生の中断に該当する種類のキー操作がなされたと判定されると、たとえばキーＫ７が操作されてＴＶチャンネルの切換操作がなされたと判定されると（Ｓ２２で再生中断に該当する）、オーディオの再生が一時中断される（Ｓ２８）。その後、Ｓ２３の処理に移行する。
【００４９】
一方、操作キーの種類はオーディオ再生中断に該当しないキーの種類であると判定されると、たとえばキーＫ３により音声のボリュームの調整がなされたとすると再生中断には該当せずと判定されてＳ２３の処理に移行する。
【００５０】
Ｓ２３では、画面消去モードが一旦解除されて、操作されたキーの種類に従う情報が制御部２０の図示されないＯＳＤを介してモニタ画面に表示される（Ｓ２３）。たとえば、音声の出力ボリュームレベルの表示、または切換先のＴＶチャネル番号などが表示される。
【００５１】
操作キーの種類に応じた情報の画面表示がなされて一定時間経過すると（Ｓ２４でＹＥＳ）、オーディオの再生が中断していたならば（Ｓ２５でＹＥＳ）、オーディオの再生が再開され（Ｓ２６）、再度、画面消去モードとなる（Ｓ２７）。
【００５２】
ここではキー操作に応じた情報を画面表示するために一時中断（一時停止）されるのはオーディオ再生動作としたが、ＤＶＤのように映像も再生されているときは、一時中断されるのはオーディオ再生と映像再生との両方であるとしてもよい。
【００５３】
以上のように、この発明によれば、ＤＶＤ再生装置１において、ＣＤ、ＭＰ３、ＷＭＡなどのオーディオ信号のみの再生がなされているときには、ユーザの所望に応じてモニタにおける表示画面を消去するようにしたので、モニタ画面の焼付けが防止されて信頼性は向上し、暗い部屋での眩しさが除去されてユーザにとっての使い勝手は向上する。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５５】
【発明の効果】
発明によれば、ディスクからオーディオ情報が再生される場合に、外部から与えられた指示情報に基づいて画面表示モードが設定されるときは画面が表示されて画面消去モードが設定されるときは画面が消去される。それゆえに、ディスクからオーディオ情報が再生される場合には外部からの指示情報に従う要求に応じて表示画面を消去することができる。
【００５６】
また、オーディオ情報と映像情報であるディスクを再生可能なディスク再生装置において再生される情報はオーディオ情報のみであるディスクを再生するときは、所望に応じて表示画面を消去できるから、ディスクから再生される映像情報による画面を表示しない場合の画面の焼き付け、まぶしさを解消できる。
【図面の簡単な説明】
【図１】  この発明の実施の形態に係るＤＶＤ再生装置の構成図である。
【図２】  この発明の実施の形態に係るリモコンのキー配置例を示す図である。
【図３】  この発明の実施の形態に係るＤＶＤ再生装置のフロントパネルの一例を示す図である。
【図４】  この発明の実施の形態に係る画面消去／表示モードの切換手順を示すフローチャートの一例を示す図である。
【図５】  この発明の実施の形態に係る画面消去／表示モードの切換手順のフローチャートの他の例を示す図である。
【図６】  この発明の実施の形態に係るセットアップメニューの表示画面例を示す図である。
【図７】  この発明の実施の形態に係る画面消去／表示モードの切換手順のさらなる他の例を示す図である。
【符号の説明】
１  ＤＶＤ再生装置、２  ディスク、１７  ＭＰＵ、２０  制御部、２１  フロントパネルキー、２２  レシーバ、２３  リモコン、ＭＴ  ミュート信号。
【図１】
0003702882.tif 000002
【図２】
0003702882.tif 000003
【図３】
0003702882.tif 000004
【図４】
0003702882.tif 000005
【図５】
0003702882.tif 000006
【図６】
0003702882.tif 000007
【図７】
0003702882.tif 000008